(57)【要約】【課題】ドツキによる不正行為を簡単な構成で防止できる弾球遊技機を提供すること。【解決手段】遊技盤３の遊技領域１６内に配設された球振分け装置１８に、遊技球の入球を許可する入賞開口部２４と、非当選孔２６ａと当選孔２６ｂを有して一定周期で回転する回転体２６と、入賞開口部２４から入球した遊技球を回転体２６の前方の待機位置Ｈへ誘導するガイド部材２７とが設けられており、待機位置Ｈ保留された遊技球が回転体２６の回転に伴って非当選孔２６ａと当選孔２６ｂのいずれか一方に振り分けられるパチンコ機Ｐにおいて、ガイド部材２７に、遊技球を待機位置Ｈに向かって誘導する下り勾配の傾斜ガイド面２８と、待機位置Ｈで傾斜ガイド面２８の下流側に連続する保持部２９とを形成し、この保持部２９を傾斜ガイド面２８に沿って延びる仮想面Ｑに対して窪んだ形状にした。【選択図】図５
2011251052.tif 000002
【特許請求の範囲】
【請求項１】
遊技盤の遊技領域に球振分け装置が配設され、この球振分け装置に、遊技球の入球を許可する入賞開口部と、当選孔と非当選孔を有して一定周期で回転する回転体と、前記入賞開口部から入球した遊技球を前記回転体の前方の待機位置へ誘導するガイド部材とが設けられ、前記待機位置に保留された遊技球が前記回転体の回転に伴って前記当選孔と前記非当選孔のいずれか一方に振り分けられる弾球遊技機において、
前記ガイド部材に、遊技球を前記待機位置に向かって誘導する下り勾配の傾斜ガイド面と、前記待機位置で前記傾斜ガイド面の下流側に連続する保持部とが形成されており、この保持部が前記傾斜ガイド面に沿って延びる仮想面に対して窪んだ形状に形成されていることを特徴とする弾球遊技機。
【請求項２】
請求項１の記載において、前記保持部が左右方向に延びる断面円弧状の保持溝であり、この保持溝の上端が前記傾斜ガイド面の下流側に連続していることを特徴とする弾球遊技機。
【発明の詳細な説明】
【技術分野】
【０００１】
本発明は、パチンコ店などの遊技場に設置して使用される弾球遊技機に係り、特に、遊技盤の遊技領域に球振分け装置が配設された弾球遊技機に関するものである。
【背景技術】
【０００２】
パチンコ機に代表される弾球遊技機の中には、遊技盤の遊技領域にセンター役物装置と呼ばれる球振分け装置を配設し、この球振分け装置に入球した遊技球を回転体（クルーン体）によってＶ入賞（当たり）とハズレのいずれか一方に振り分けるようにした機種が存在する（例えば、特許文献１参照）。この球振分け装置の上端部には遊技球の入球を許可する入賞開口部が設けられており、入賞開口部から入球した遊技球は誘導路を通ってガイドレール上に排出されるようになっている。ガイドレールは遊技球が転動する平面視リング状の内底面を有しており、この内底面は前端側が最下部となるように前傾姿勢に保たれている。また、ガイドレールには内底面を介して対向する内周壁と外周壁が立設されており、この内周壁は回転体の外周面のほぼ全周を包囲しているが、回転体の前方の待機位置において内周壁は切除されている。さらに、ガイドレールの最下位置である前端側には前記待機位置へ向かって下り勾配で連続する傾斜ガイド面が形成されており、誘導路からガイドレール上に排出された遊技球は、ガイドレールの後端部から前端部に向かって転動した後、傾斜ガイド面に沿って回転体の前方の待機位置まで導かれるようになっている。回転体はモータを駆動源として同一方向に一定周期で回転するようになっており、その周縁部には複数の非当選孔と１つの当選孔とが周方向に所定間隔を存して設けられている。非当選孔は遊技球のほぼ１個分を嵌入できる程度の切り欠きとして形成されており、当選孔は非当選孔よりも奥行き寸法の長い切り欠きとして形成されている。これら非当選孔と当選孔は回転体の回転に伴って待機位置で傾斜ガイド面の下流側と対峙するため、待機位置で回転体の外周面に当接して保留された遊技球は、引き続いて待機位置に対峙する非当選孔または当選孔のいずれか一方に嵌入することになる。
【０００３】
このように概略構成された弾球遊技機において、遊技盤の遊技領域に向けて打ち出された遊技球が球振分け装置の入賞開口部に入球すると、この遊技球は誘導路を通ってガイドレールの後端側に排出された後、ガイドレール上を最下部に向かって転動して傾斜ガイド面の上流側まで導かれ、最終的には傾斜ガイド面上を転動して待機位置まで導かれる。このとき、非当選孔や当選孔の存しない回転体の外周面が待機位置を通過すると、傾斜ガイド面に沿って待機位置まで転動した遊技球は回転体の外周面に突き当たって一時的に保留された後、回転体の回転に伴って待機位置に近付いてくる当選孔または非当選孔のいずれか一方に嵌入する。この場合、非当選孔に嵌入した遊技球は内部に保持されたまま回転体の回転に伴って移動していき、回転体の下方に設けられた排出孔を通ってハズレ球として回収される。一方、当選孔に嵌入した遊技球は奥部に保持されたまま回転体の回転に伴って移動していき、この遊技球が回転体の下方の他の位置に設けられたＶ入賞孔に入ると、当たりとなって通常状態から大当たり遊技に移行する。
【先行技術文献】
【特許文献】
【０００４】
【特許文献１】特開２００６−１５０６６号公報
【発明の概要】
【発明が解決しようとする課題】
【０００５】
前述した従来の弾球遊技機では、一定周期で回転する回転体が遊技球を当たりとハズレのいずれか一方に振り分ける機能を有しているため、ガイドレール上を転動する遊技球が待機位置に至るタイミングと回転体が回転する様子とを見比べることにより、遊技者はハラハラ、ドキドキした遊技を楽しむことができる。しかしながら、回転体の外周面に当接して保留されている遊技球が待機位置に近付いてくる非当選孔に入る直前に、遊技盤の前方に配置されたガラス扉などを強く叩くドツキと呼ばれる行為が行われると、その外力によって遊技球が回転体の外周面から離反して傾斜ガイド面の上流側に押し戻されてしまうため、この遊技球が再び傾斜ガイド面を転動して待機位置に戻る間に、本来は遊技球の入るはずであった非当選孔が待機位置を素通りしてしまうことになる。このように、待機位置に保留された遊技球をドツキの外力によって傾斜ガイド面の上流側に簡単に押し戻すことができるため、所定のタイミングでドツキを行うことにより、本来は入るはずのない当選孔に遊技球を不正に入れて当たりを獲得するという不正行為を防止することが困難であった。
【０００６】
本発明は、このような従来技術の実情に鑑みてなされたもので、その目的は、ドツキによる不正行為を簡単な構成で防止できる弾球遊技機を提供することにある。
【課題を解決するための手段】
【０００７】
上記の目的を達成するために、本発明は、遊技盤の遊技領域に球振分け装置が配設され、この球振分け装置に、遊技球の入球を許可する入賞開口部と、当選孔と非当選孔を有して一定周期で回転する回転体と、前記入賞開口部から入球した遊技球を前記回転体の前方の待機位置へ誘導するガイド部材とが設けられ、前記待機位置に保留された遊技球が前記回転体の回転に伴って前記当選孔と前記非当選孔のいずれか一方に振り分けられる弾球遊技機において、前記ガイド部材に、遊技球を前記待機位置に向かって誘導する下り勾配の傾斜ガイド面と、前記待機位置で前記傾斜ガイド面の下流側に連続する保持部とが形成されており、この保持部が前記傾斜ガイド面に沿って延びる仮想面に対して窪んだ形状に形成されている構成とした。
【０００８】
このように構成された弾球遊技機では、ガイド部材の傾斜ガイド面に沿って保持部まで誘導された遊技球が待機位置で回転体の外周面に当接しているとき、この遊技球が待機位置に近付く回転体の非当選孔に入ろうとする直前にドツキが行われたとしても、保持部が傾斜ガイド面に沿って延びる仮想面に対して窪んだ形状に形成されているため、待機位置で保持部に保持された遊技球をドツキの外力によって傾斜ガイド面の上流側に押し戻すことは困難となり、ドツキによって不正に当たりを獲得するという不正行為を簡単な構成で防止することができる。
【０００９】
上記の構成において、保持部は傾斜ガイド面の傾斜面を鈍角に屈折させた二段階構造の斜面でも良いが、保持部が左右方向に延びる断面円弧状の保持溝であって、この保持溝の上端が傾斜ガイド面の下流側に連続していると、傾斜ガイド面の下流側まで転動した遊技球が保持溝によって待機位置に安定的に保持されるため、待機位置にある遊技球がドツキによって傾斜ガイド面の上流側へ押し戻しにくくなって好ましい。
【発明の効果】
【００１０】
本発明の弾球遊技機は、球振分け装置に入球した遊技球を回転体の前方の待機位置へ誘導するガイド部材に、待機位置に向かって下り勾配で延びる傾斜ガイド面と、傾斜ガイド面の下流側に連続する保持部とが形成され、この保持部が傾斜ガイド面に沿って延びる仮想面に対して窪んだ形状に形成されているため、傾斜ガイド面を転動して保持部まで誘導された遊技球が待機位置で回転体の外周面に当接しているとき、この遊技球が待機位置に近付く回転体の非当選孔に入ろうとする直前にドツキが行われたとしても、遊技球をドツキの外力によって傾斜ガイド面の上流側に押し戻すことが困難となり、ドツキによって不正に当たりを獲得するという不正行為を簡単な構成で防止することができる。
【図面の簡単な説明】
【００１１】
【図１】本発明の実施形態例に係る弾球遊技機の外観斜視図である。
【図２】該弾球遊技機のガラス扉の開放状態を示す外観斜視図である。
【図３】該弾球遊技機の背面図である。
【図４】該弾球遊技機に備えられる球振分け装置の斜視図である。
【図５】該球振分け装置の要部断面図である。
【図６】球振分け装置の変形例を示す要部断面図である。
【発明を実施するための形態】
【００１２】
発明の実施の形態について図面を参照して説明する。図１と図２に示すように、本実施形態例に係るパチンコ機（弾球遊技機）Ｐは、遊技場の島設備に設置される縦長方形状の機枠１と、機枠１に扉状に開閉自在に取り付けられた前面枠２と、前面枠２の内側に収容された遊技盤３と、前面枠２の前面に扉状に開閉自在に取り付けられたガラス扉４と、前面枠２の下側に開閉自在に配設された前面ボード５と、前面ボード５に取り付けられた発射ハンドル６等を具備しており、前面ボード５には遊技球を収容する受皿７が設けられている。ガラス扉４の中央部には透明なガラス板８が取り付けられており、遊技盤３の前面（盤面）はこのガラス板８を通して外部から目視可能となっている。また、ガラス扉４の上部にはスピーカ９が左右に１個ずつ取り付けられており、これらスピーカ９から遊技に関する様々な効果音を発するようになっている。また、図３に示すように、このパチンコ機Ｐの背面側には、主制御処理部１０と、ランプ制御処理部１１と、音声制御処理部１２と、払出制御処理部１３と、賞球払出装置１４と、発射制御処理部１５等が設けられている。
【００１３】
図２に示すように、遊技盤３の前面（盤面）はガイドレール１７等によって略円形状に区画された遊技領域１６となっており、発射ハンドル６が遊技者によって任意角度に回転操作されると、図示せぬ発射装置が受皿７に保留された遊技球を遊技領域１６に向けて連続的に打ち出すようになっている。この遊技領域１６内には、センター役物装置とも呼ばれる球振分け装置１８と、第１始動口１９および第２始動口２０と、一般入賞口２１と、アウト口２２と、図示せぬ遊技釘および風車等が設けられている。詳しくは後述するが、第１始動口１９に遊技球が入賞すると、球振分け装置１８の上端に設けられた一対の羽根２３が２回開閉し、第２始動口２０に遊技球が入賞すると、一対の羽根２３が１回だけ開閉するようになっている。また、一般入賞口２１に遊技球が入賞すると、所定個数の遊技球が賞球として払い出され、第１および第２始動口１９，２０や一般入賞口２１に入らなかった遊技球はアウト口２２から回収される。
【００１４】
図４に示すように、球振分け装置１８の上端中央部には遊技球の入球を許可する入賞開口部２４が設けられており、前述した一対の羽根２３がこの入賞開口部２４を開閉するようになっている。球振分け装置１８の内部には、入賞開口部２４に連通する中空構造の誘導路２５が設けられており、この誘導路２５の下方にクルーン体と呼ばれる回転体２６が配置されている。また、回転体２６の周囲には平面視リング状のガイド部材２７が配設されており、入賞開口部２４から球振分け装置１８に入球した遊技球は誘導路２５を通ってガイド部材２７の後端部上に排出される。
【００１５】
ガイド部材２７は前端側の中央部が最下位置となるように前傾姿勢に保たれているため、誘導路２５からガイド部材２７の後端部に排出された遊技球は自重により前端側へ向かって転動する。このガイド部材２７には内周壁２７ａと外周壁２７ｂが立設されており、これら内周壁２７ａと外周壁２７ｂは遊技球が転動する内底面を介して対向している。内周壁２７ａは回転体２６の外周面のほぼ全周を包囲しているが、回転体２６の前方だけは内周壁２７ａが切除されており、当該箇所が遊技球の待機位置Ｈとなっている。また、ガイド部材２７の最下位置である前端側には待機位置Ｈへ向かって下り勾配で連続する傾斜ガイド面２８が形成されており、待機位置Ｈには傾斜ガイド面２８の下流側に連続する保持部２９が形成されている。この保持部２９は左右方向に延びる半円筒状の保持溝の内底面として構成されており、図５に示すように、保持部２９の断面円弧状の内底面は傾斜ガイド面２８に沿って延びる仮想面Ｑに対して窪んだ形状に形成されている。したがって、誘導路２５からガイド部材２７の内底面に排出された遊技球は、その内底面上を後端部から前端部に向かって転動した後、傾斜ガイド面２８上を待機位置Ｈへ向かって転動して保持部２９まで導かれる。
【００１６】
回転体２６は図示せぬモータを駆動源として同一方向に一定周期で回転するようになっており、この回転体２６には２つの非当選孔２６ａと１つの当選孔２６ｂが周方向に１２０度の等間隔を保って形成されている。非当選孔２６ａは遊技球を１個収納できる切り欠きとして形成されており、回転体２６の下方には非当選孔２６ａと重なる位置に図示せぬ排出孔が設けられている。また、当選孔２６ｂは非当選孔２６ａよりも奥行き寸法の長い切り欠きとして形成されており、回転体２６の下方には当選孔２６ｂの奥部と重なる位置に図示せぬＶ入賞孔が設けられている。これら非当選孔２６ａと当選孔２６ｂの外側開口部は回転体２６の回転に伴って待機位置Ｈで保持部２９と順次対峙し、その際に遊技球が保持部２９に保持されていれば、この遊技球は待機位置Ｈに対峙する非当選孔２６ａまたは当選孔２６ｂのいずれか一方に嵌入する。そして、非当選孔２６ａに嵌入した遊技球は、非当選孔２６ａの内部に保持されたまま回転体２６の回転に伴って移動していき、前記排出孔の真上位置まで移動すると、この排出孔から落下してハズレ球として回収される。一方、当選孔２６ｂに嵌入した遊技球は、当選孔２６ｂの奥部に保持されたまま回転体２６の回転に伴って移動していき、前記Ｖ入賞孔の真上位置まで移動すると、このＶ入賞孔から落下して当たりとなる。
【００１７】
このように構成されたパチンコ機Ｐにおいて、通常状態で遊技者が発射ハンドル６を回転操作すると、受皿７に保留された遊技球が遊技領域１６に向けて連続的に打ち出されるが、この通常状態では、一対の羽根２３は閉じていて入賞開口部２４を塞いでいる。ただし、遊技領域１６内を流下する遊技球が第１始動口１９に入賞すると、一対の羽根２３が０．９秒開いて閉じる動作を２回繰り返し、遊技球が第２始動口２０に入賞すると、一対の羽根２３が０．９秒開いて閉じる動作を１回だけ行う。そして、このように一対の羽根２３が開いているタイミングで、遊技領域１６内を流下する遊技球が球振分け装置１８の入賞開口部２４に入球すると、この遊技球は誘導路２５の内部を通ってガイド部材２７の後端部に排出された後、ガイド部材２７の内底面上を最下位置の前端部に向かって転動して傾斜ガイド面２８の上流側まで導かれ、最終的には傾斜ガイド面２８上を待機位置Ｈへ向かって転動して保持部２９まで導かれる。このとき、内周壁２７ａの切除された待機位置Ｈを回転体２６の外周面が通過すれば、保持部２９まで導かれた遊技球は回転体２６の外周面に突き当たって待機位置Ｈで一時的に保留された後、回転体２６の回転に伴って待機位置Ｈ近付いてくる非当選孔２６ａまたは当選孔２６ｂのいずれか一方に嵌入する。前述したように、非当選孔２６ａに嵌入した遊技球は排出孔を通ってハズレ球として回収され、当選孔２６ｂに嵌入した遊技球がＶ入賞孔に入ると、当たりとなって通常状態から大当たり遊技に移行する。この大当たり遊技では、一対の羽根２３が１８回以下の開放動作（開放時間の合計は３０秒以下）、または遊技球が球振分け装置１８に１０個入賞すると１回のラウンドを終了し、かかるラウンドを複数（例えば１５ラウンド）実行して大当たり遊技が終了となる。
【００１８】
以上説明したように、本実施形態例に係るパチンコ機Ｐでは、ガイド部材２７上を転動する遊技球が傾斜ガイド面２８を通って保持部２９に至るタイミングと、回転体２６の回転に伴って待機位置Ｈに近付いてくる非当選孔２６ａまたは当選孔２６ｂの位置に応じて、球振分け装置１８に入球した遊技球が当たりとハズレのいずれか一方に振り分けられるため、遊技者はハラハラ、ドキドキした遊技を楽しむことができる。また、保持部２９が傾斜ガイド面２８に沿って延びる仮想面Ｑに対して窪んだ断面円弧状に形成されているため、遊技球が待機位置Ｈで回転体２６の外周面と保持部２９との間に保持されているとき、ガラス扉４の周囲を強く叩いて遊技球に外力を作用させるというドツキが行われたとしても、その外力によって遊技球を傾斜ガイド面２８の上流側に押し戻すことは困難となる。したがって、待機位置Ｈに保留された遊技球が非当選孔２６ａに入ってハズレになることが予測される場合において、この遊技球が待機位置Ｈに近付いてくる非当選孔２６ａに入ろうとする直前にドツキが行われたとしても、遊技球は回転体２６の外周面を摺動しながら非当選孔２６ａに入ることとなり、本来入るはずのない当選孔２６ｂに遊技球を不正に入れることはできなくなる。しかも、保持部２９は傾斜ガイド面２８の下流側を窪ませるだけの単純構造で済むため、ドツキによって不正に当たりを獲得するという不正行為を簡単な構成で防止することができる。
【００１９】
また、本実施形態例に係るパチンコ機Ｐでは、傾斜ガイド面２８の下流側に連続する保持部２９が左右方向に延びる半円筒状の保持溝の内底面として構成されているため、傾斜ガイド面２８の下流側まで転動した遊技球を保持部２９によって待機位置Ｈに安定的に保持することができる。ただし、図６に示す変形例のように、傾斜ガイド面２８の傾斜面を下流側で鈍角に屈折させた二段階構造の斜面とし、この下段側の斜面を保持部３０とすることも可能である。この場合も、保持部３０の傾斜する底面が傾斜ガイド面２８に沿って延びる仮想面Ｑに対して窪んでいるため、保持部３０に保持された遊技球をドツキによって傾斜ガイド面２８の上流側に押し戻すことは困難となる。
【００２０】
なお、上記実施形態例では、回転体２６を包囲する平面視リング状のガイド部材２７に傾斜ガイド面２８と保持部２９，３０を一体形成し、このような形状のガイド部材２７を用いて球振分け装置１８に入球した遊技球を回転体２６の前方の待機位置Ｈまで誘導するようにしているが、回転体２６をほぼ半周にわたって包囲する半リング状のガイド部材や、回転体２６の前方を左右方向に延びる直線状のガイド部材など、他の形状のガイド部材を用いることも可能である。
【００２１】
また、上記実施形態例では、遊技球が回転体２６の当選孔２６ｂに入って大当たり遊技に移行したとき、球振分け装置１８に設けられた一対の羽根２３を複数ラウンドだけ開放動作させて多くの賞球を獲得する場合について説明したが、大当たり遊技に移行したとき、遊技領域１６内の適宜位置に配設されたアタッカー装置を所定回数開放することで多くの賞球を獲得するようにしても良い。
【符号の説明】
【００２２】
３  遊技盤
４  ガラス扉
１６  遊技領域
１８  球振分け装置
２３  羽根
２４  入賞開口部
２５  誘導路
２６  回転体
２６ａ  非当選孔
２６ｂ  当選孔
２７  ガイド部材
２７ａ  内周壁
２７ｂ  外周壁
２８  傾斜ガイド面
２９，３０  保持部
Ｐ  パチンコ機
Ｈ  待機位置
Ｑ  仮想面
【図１】
2011251052.tif 000003
【図２】
2011251052.tif 000004
【図３】
2011251052.tif 000005
【図４】
2011251052.tif 000006
【図５】
2011251052.tif 000007
【図６】
2011251052.tif 000008